【手続補正書】
【提出日】平成25年3月6日(2013.3.6)
【手続補正１】
【補正対象書類名】明細書
【補正対象項目名】００７９
【補正方法】変更
【補正の内容】
【００７９】
本発明の一態様は、移動端末によって実行される方法であって、セミパーシステントスケジューリングの設定と、前記移動端末のロジカルチャネルのスケジューリング設定に関するインフォメーションエレメントを基地局から受信するステップと、前記移動端末に対してセミパーシステントスケジューリングが設定された場合に、データ送信が可能になったロジカルチャネルのスケジューリング設定がセミパーシステントスケジューリングでない場合には、前記基地局に対してアップリンク送信のリソース割り当てを要求するスケジューリングリクエストを前記基地局へ送信し、前記ロジカルチャネルのスケジューリング設定がセミパーシステントスケジューリングである場合には、前記スケジューリングリクエストを送信しないことを決定するステップと、を含む方法である。
本発明の一態様は、前記セミパーシステントスケジューリングが前記移動端末に対して設定されていない場合であって、バッファステータスレポートがトリガされたトランスミッションタイムインターバル（ＴＴＩ）のアップリンクリソース割り当てがない場合には、バッファステータスレポート送信のためのアップリンクリソースを要求するために、前記基地局へスケジューリングリクエストを送信するステップをさらに含む、方法である。
本発明の一態様は、前記基地局からの前記ロジカルチャネルの前記スケジューリング設定は、無線リソースが動的に割り当てられる動的スケジューリング設定と、無線リソースが準静的に割り当てられるセミパーシステントスケジューリング設定を含む、方法である。
本発明の一態様は、前記移動端末に設定されたセミパーシステントなリソース割当の状態を考慮にいれて、バッファステータスレポートのトリガおよび生成を行うか否かを決定する、方法である。
本発明の一態様は、前記移動端末に設定されたセミパーシステントなリソース割当の状態が、セミパーシステントスケジューリングの活性化(activation)または非活性化(de-activation)である、方法である。
本発明の一態様は、移動端末であって、セミパーシステントスケジューリングの設定と、前記移動端末のロジカルチャネルのスケジューリング設定に関するインフォメーションエレメントを基地局から受信する受信手段と、前記移動端末に対してセミパーシステントスケジューリングが設定された場合に、データ送信が可能になったロジカルチャネルのスケジューリング設定がセミパーシステントスケジューリングでない場合には、前記基地局に対してアップリンク送信のリソース割り当てを要求するスケジューリングリクエストを前記基地局へ送信する送信手段と、前記ロジカルチャネルのスケジューリング設定がセミパーシステントスケジューリングである場合には、前記スケジューリングリクエストを送信しないことを決定する決定手段と、を備える移動端末である。
本発明の一態様は、前記送信手段が、前記セミパーシステントスケジューリングが前記移動端末に対して設定されていない場合であって、バッファステータスレポートがトリガされたトランスミッションタイムインターバル（ＴＴＩ）のアップリンクリソース割り当てがない場合には、バッファステータスレポート送信のためのアップリンクリソースを要求するために、前記基地局へスケジューリングリクエストを送信する、移動端末である。
本発明の一態様は、前記基地局からの前記ロジカルチャネルの前記スケジューリング設定は、無線リソースが動的に割り当てられる動的スケジューリング設定と、無線リソースが準静的に割り当てられるセミパーシステントスケジューリング設定を含む、移動端末である。
本発明の一態様は、前記移動端末に設定されたセミパーシステントなリソース割当の状態を考慮にいれて、バッファステータスレポートのトリガおよび生成を行うか否かを決定する手段をさらに備える、移動端末である。
本発明の一態様は、前記移動端末に設定されたセミパーシステントなリソース割当の状態は、セミパーシステントスケジューリングの活性化(activation)または非活性化(de-activation)である、移動端末である。
本発明の一態様は、移動通信システムにおけるバッファ状態報告の送信方式に関する。移動通信システムの無線リソースのスケジューラは、無線リソースを割り当てるための複数の異なるスケジューリングモードを利用できるものと想定する。本発明のこの態様によると、バッファ状態報告をトリガーするとき、もしくは生成するとき、またはその両方において、通信ノード（例えば移動端末／ユーザ機器）においてデータが送信可能な状態にある各無線ベアラのスケジューリングモードを考慮に入れる。無線ベアラのデータが、通信ノードにおいて送信待ちであるとき、その無線ベアラのデータについてバッファ状態報告の中で報告するか否かの決定は、無線ベアラのスケジューリングモードおよびその状態に依存する。通信ノードのバッファの中でデータが送信可能な状態にある無線ベアラのいずれも、バッファ状態報告に含めるための所定の基準を満たしていない場合、空のバッファ状態報告を送ることができる（例えば、周期的なバッファ状態報告の場合）。
【手続補正２】
【補正対象書類名】特許請求の範囲
【補正対象項目名】全文
【補正方法】変更
【補正の内容】
【特許請求の範囲】
【請求項１】
移動端末によって実行される方法であって、
セミパーシステントスケジューリングの設定と、前記移動端末のロジカルチャネルのスケジューリング設定に関するインフォメーションエレメントを基地局から受信するステップと、
前記移動端末に対してセミパーシステントスケジューリングが設定された場合に、データ送信が可能になったロジカルチャネルのスケジューリング設定がセミパーシステントスケジューリングでない場合には、前記基地局に対してアップリンク送信のリソース割り当てを要求するスケジューリングリクエストを前記基地局へ送信し、前記ロジカルチャネルのスケジューリング設定がセミパーシステントスケジューリングである場合には、前記スケジューリングリクエストを送信しないことを決定するステップと、
を含む方法。
【請求項２】
前記セミパーシステントスケジューリングが前記移動端末に対して設定されていない場合であって、バッファステータスレポートがトリガされたトランスミッションタイムインターバル（ＴＴＩ）のアップリンクリソース割り当てがない場合には、バッファステータスレポート送信のためのアップリンクリソースを要求するために、前記基地局へスケジューリングリクエストを送信するステップをさらに含む、
請求項１に記載の方法。
【請求項３】
前記基地局からの前記ロジカルチャネルの前記スケジューリング設定は、無線リソースが動的に割り当てられる動的スケジューリング設定と、無線リソースが準静的に割り当てられるセミパーシステントスケジューリング設定を含む、
請求項１に記載の方法。
【請求項４】
前記移動端末に設定されたセミパーシステントなリソース割当の状態を考慮にいれて、バッファステータスレポートのトリガおよび生成を行うか否かを決定する、
請求項１に記載の方法。
【請求項５】
前記移動端末に設定されたセミパーシステントなリソース割当の状態は、セミパーシステントスケジューリングの活性化(activation)または非活性化(de-activation)である、
請求項４に記載の方法。
【請求項６】
移動端末であって、
セミパーシステントスケジューリングの設定と、前記移動端末のロジカルチャネルのスケジューリング設定に関するインフォメーションエレメントを基地局から受信する受信手段と、
前記移動端末に対してセミパーシステントスケジューリングが設定された場合に、データ送信が可能になったロジカルチャネルのスケジューリング設定がセミパーシステントスケジューリングでない場合には、前記基地局に対してアップリンク送信のリソース割り当てを要求するスケジューリングリクエストを前記基地局へ送信する送信手段と、
前記ロジカルチャネルのスケジューリング設定がセミパーシステントスケジューリングである場合には、前記スケジューリングリクエストを送信しないことを決定する決定手段と、
を備える移動端末。
【請求項７】
前記送信手段は、前記セミパーシステントスケジューリングが前記移動端末に対して設定されていない場合であって、バッファステータスレポートがトリガされたトランスミッションタイムインターバル（ＴＴＩ）のアップリンクリソース割り当てがない場合には、バッファステータスレポート送信のためのアップリンクリソースを要求するために、前記基地局へスケジューリングリクエストを送信する、
請求項６に記載の移動端末。
【請求項８】
前記基地局からの前記ロジカルチャネルの前記スケジューリング設定は、無線リソースが動的に割り当てられる動的スケジューリング設定と、無線リソースが準静的に割り当てられるセミパーシステントスケジューリング設定を含む、
請求項６に記載の移動端末。
【請求項９】
前記移動端末に設定されたセミパーシステントなリソース割当の状態を考慮にいれて、バッファステータスレポートのトリガおよび生成を行うか否かを決定する手段をさらに備える、
請求項６に記載の移動端末。
【請求項１０】
前記移動端末に設定されたセミパーシステントなリソース割当の状態は、セミパーシステントスケジューリングの活性化(activation)または非活性化(de-activation)である、
請求項９に記載の移動端末。